(57)【特許請求の範囲】
【請求項１】
現金管理装置本体と、
該現金管理装置本体に引き出し可能に設けられた収納庫と、を有する現金管理装置であって、
前記収納庫は、
枠体と、
該枠体に引き出し方向に対して前後に複数並べられ左右に複数並べられて固定される複数の棒金トレイとを備え、
一つの前記棒金トレイには、棒金を立位状態で一カ所に複数収納可能であって下方に凹む上方開口形状の棒金収納凹部が一カ所のみ設けられ、
複数の前記棒金トレイは、それぞれが単一金種のみを収納するように設定され、
左右方向における同列に配置されて前後に並ぶ複数の前記棒金トレイは、すべて収納対象金種が同一金種となっていることを特徴とする現金管理装置。
【請求項２】
すべての前記棒金トレイが、それぞれ、一カ所のみの前記棒金収納凹部に、左側に３本の棒金が左右方向の位置を合わせて前後１列に並べられ、右側に３本の棒金が左右方向の位置を合わせて前後１列に並べられ、左右方向の中央に４本の棒金が左右方向の位置を合わせて前後１列に並べられて収納されることを特徴とする請求項１記載の現金管理装置。
【請求項３】
前記棒金トレイには、収納対象の金種を目視可能に明示する金種明示部が設けられていることを特徴とする請求項１または２記載の現金管理装置。
【発明の詳細な説明】
【技術分野】
【０００１】
本発明は、補充用の現金の管理に用いられる現金管理装置に関する。
【背景技術】
【０００２】
従来、人的ミスによって現金管理装置から出金した現金に違算が発生することを未然に防止する現金管理装置として、出納機への現金の補充と出納機からの現金の回収を行う移動可能な現金管理装置であって、出納機と情報の送受信を行う送受信手段を備え、現金を出金するときは、送受信手段により出納機から出金する現金の情報を受信して、その受信した現金の情報に基づいて現金を出金することを特徴とする現金管理装置がある（例えば特許文献１参照）。
【先行技術文献】
【特許文献】
【０００３】
【特許文献１】特開２００８−３１０５１９号公報（段落０００６，０００７）
【発明の概要】
【発明が解決しようとする課題】
【０００４】
本来現金管理装置から補充のために出金すべき現金と現金管理装置から実際に出金した現金とが一致していない場合があり、そのような場合には後の現金を集計したときに差異がでて、それにより集計のやり直し等を行う必要が生じるが、このような問題を解決し、現金管理の厳正化を図るために特許文献１記載の現金管理装置が開示されている。
【０００５】
特許文献１記載の現金管理装置によれば現金管理の厳正化が図れるものの、現金管理装置から出金するに際し、その出金に対応する装置、例えば出納機の側に現金管理装置を移動させ、さらに連結部を介して連結させる必要があり、現金管理装置を出納機から離れた任意の場所で運用するには適さない可能性があった。
【０００６】
本発明は、業務効率の向上を図ることができる現金管理装置の提供を目的とする。
【課題を解決するための手段】
【０００７】
上記目的を達成するために、請求項１に係る発明は、現金管理装置本体と、該現金管理装置本体に引き出し可能に設けられた収納庫と、を有する現金管理装置であって、前記収納庫は、枠体と、該枠体に引き出し方向に対して前後に複数並べられ左右に複数並べられて固定される複数の棒金トレイとを備え、一つの前記棒金トレイには、棒金を立位状態で一カ所に複数収納可能であって下方に凹む上方開口形状の棒金収納凹部が一カ所のみ設けられ、複数の前記棒金トレイは、それぞれが単一金種のみを収納するように設定され、左右方向における同列に配置されて前後に並ぶ複数の前記棒金トレイは、すべて収納対象金種が同一金種となっていることを特徴とする。
【０００８】
請求項２に係る発明は、請求項１に係る発明において、すべての前記棒金トレイが、それぞれ、一カ所のみの前記棒金収納凹部に、左側に３本の棒金が左右方向の位置を合わせて前後１列に並べられ、右側に３本の棒金が左右方向の位置を合わせて前後１列に並べられ、左右方向の中央に４本の棒金が左右方向の位置を合わせて前後１列に並べられて収納されることを特徴とする。
【０００９】
請求項３に係る発明は、請求項１または２に係る発明において、前記棒金トレイには、収納対象の金種を目視可能に明示する金種明示部が設けられていることを特徴とする。
【発明の効果】
【００１０】
本発明によれば、業務効率の向上を図ることができる。
【図面の簡単な説明】
【００１１】
【図１】本発明の一実施形態に係る現金管理装置を示す斜視図である。
【図２】本発明の一実施形態に係る現金管理装置を示す制御系のブロック図である。
【図３】本発明の一実施形態に係る現金管理装置の小束収納庫を示す斜視図である。
【図４】本発明の一実施形態に係る現金管理装置の棒金収納庫を示す斜視図である。
【図５】本発明の一実施形態に係る現金管理装置の棒金トレイを示す斜視図である。
【図６】本発明の一実施形態に係る現金管理装置の小束収納庫近傍を示す部分斜視図である。
【図７】本発明の一実施形態に係る現金管理装置の小束収納庫を示す平面図であって、（Ａ）は現金管理装置本体に配置される小束セット検知センサとの対応関係を示すもの、（Ｂ）は現金管理装置本体に配置される左端検出ラインセンサ、左側帯検出ラインセンサ、右側帯検出ラインセンサおよび右端検出ラインセンサとの対応関係を示すものである。
【図８】本発明の一実施形態に係る現金管理装置の棒金収納庫近傍を示す部分斜視図である。
【図９】本発明の一実施形態に係る現金管理装置の棒金収納庫を示す平面図であって、（Ａ）は現金管理装置本体に配置される棒金セット検知センサとの対応関係を示すもの、（Ｂ）は現金管理装置本体に配置される棒金検出ラインセンサとの対応関係を示すものである。
【図１０】本発明の一実施形態に係る現金管理装置の収納庫近傍を示す側面図である。
【図１１】本発明の一実施形態に係る現金管理装置の収納庫の前部近傍を示す部分斜視図である。
【図１２】本発明の一実施形態に係る現金管理装置の収納庫の後部近傍を示す側面図である。
【発明を実施するための形態】
【００１２】
本発明の一実施形態に係る現金管理装置を図面を参照して以下に説明する。
【００１３】
本実施形態に係る現金管理装置１０は、店舗の係員側スペースに設置されて係員により取り扱われるものであり、より窓口カウンタに近い位置で主に小束紙幣および棒金を入出庫可能に収納するものである。
【００１４】
現金管理装置１０は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平方向に沿ってスライド開閉可能となっている。これら収納庫１２は、前方に引き出され、後方に押し込まれることになり、このように前後方向にのみ所定範囲で移動可能となるように現金管理装置本体１１に連結されている。
【００１５】
複数段の収納庫１２のうち、最も上側のものは、予備収納庫１２（ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（ｂ）となっており、下側３段が棒金を収納する棒金収納庫１２（ｃ）となっている。勿論、収納庫１２の全体の数や、そのうちの小束収納庫１２（ｂ）および棒金収納庫１２（ｃ）の個々の数等は任意に設定可能であり、例えば、予備収納庫１２（ａ）以外のすべてを、小束収納庫１２（ｂ）としたり、棒金収納庫１２（ｃ）としたりすることも勿論可能である。
【００１６】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部（警告手段，警報手段）１７と、操作者のＩＤカードを走査するカードリーダ１８と、操作者により操作される操作キーボード（入力手段）１９と、操作者に対して音声を出力する音声発生部（警告手段，警報手段）２０とを有している。
【００１７】
現金管理装置本体１１には、複数の収納庫１２のそれぞれに対して、収納庫１２を閉状態で個別にロックする図２に示すロック機構２２が設けられており、図１に示す複数の収納庫１２のそれぞれの側方に、ロック機構２２のロック解除時のみ点灯する表示灯２３が設けられている。さらに、現金管理装置本体１１には、図２に示すように、操作表示部１５、プリンタ１６、ロック機構２２および表示灯２３に接続されてこれらを制御する制御部２５と、収納している棒金および小束紙幣の数量情報および金種情報や処理関連のデータ等を記憶する記憶部２６とが設けられている。
【００１８】
収納庫１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図３に示す小束収納庫１２（ｂ）と図４に示す棒金収納庫１２（ｃ）とで共通となっている。
【００１９】
図３に示すように、小束収納庫１２（ｂ）は、結束された小束紙幣（収納物）Ｔを入出庫可能に収納するもので、上記した枠体３４内に固定される複数、具体的には前後に５つ左右に２列の合成樹脂製の小束トレイ４０を有している。小束紙幣Ｔは、単一金種の紙幣を所定枚数（１００枚）集積し、規定位置に結束テープｔを巻回して、この結束テープｔを接着することで形成されるものである。
【００２０】
各小束トレイ４０は、機体前後方向に対し直交して立設された前壁部４１と、機体前後方向に対し直交して立設された後壁部４２と、機体左右方向に対し直交して立設された左右一対の側壁部４３と、これらで囲まれた部分の下部を閉塞する水平に沿う底部４４とを有し、上方に開口し下方に凹む形状をなすトレイ本体４５と、トレイ本体４５の底部４４に、前壁部４１および後壁部４２と平行を維持しつつ前後移動可能に設けられた札押さえ板４６と、札押さえ板４６を後壁部４２に向けて付勢する図示略の付勢部材とを有している。トレイ本体４５の底部４４には、札押さえ板４６のスライドを案内するスライド溝４７と、小束紙幣Ｔのセット検知用のセンサ溝４８とが、前後方向に延在し上下方向に貫通するように形成されている。
【００２１】
各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部４４に載置され、後壁部４２と札押さえ板４６とに挟持されて収納されることになる。小束トレイ４０には、小束紙幣Ｔが１束から１０束まで収納可能であり、複数の小束紙幣Ｔは、上記立位状態のまま前後方向に重ねられて後壁部４２と札押さえ板４６とに挟持されることになる。つまり、小束トレイ４０には、後壁部４２と、札押さえ板４６と、一対の側壁部４３と、底部４４とで、下方に凹む上方開口形状の束収納凹部４９が形成されることになり、小束紙幣Ｔは、束収納凹部４９にその上部開口を介して上方から挿入されて収納される。
【００２２】
なお、各小束トレイ４０は、それぞれ予め設定された単一金種の小束紙幣Ｔのみが束収納凹部４９に収納されるように決められており、よって、小束収納庫１２（ｂ）には、小束紙幣Ｔの収納位置である束収納凹部４９が金種毎に規定されている。
【００２３】
各小束トレイ４０の束収納凹部４９を構成する一対の側壁部４３間の幅は、収納対象金種の小束紙幣Ｔの長さよりも若干広い幅となっている。また、各小束トレイ４０の束収納凹部４９を構成する底部４４の高さは、いずれの小束トレイ４０においても収納対象金種の小束紙幣Ｔを載置した場合にその上端部の小束収納庫１２（ｂ）での上端部の高さ位置が一定するように設定されている。つまり、高さ（短辺方向長さ）が低い小束紙幣Ｔを収納する小束トレイ４０は、これが配置された小束収納庫１２（ｂ）での底部４４の高さ位置が高くなっており、高さが高い小束紙幣Ｔを収納する小束トレイ４０は、これが配置された小束収納庫１２（ｂ）での底部４４の高さ位置が低くなっている。ただし、各束収納凹部４９の底部４４までの深さは、収納した小束紙幣Ｔを取り出し容易とすべく上方に突出させるように設定されている。
【００２４】
小束トレイ４０の束収納凹部４９には、設定金種以外の長さの長い金種の小束紙幣Ｔと、設定金種以外の高さの高い金種の小束紙幣Ｔとは、適正な収納が困難となり、これにより、一部の誤収納を簡易的に規制するようになっている。つまり、設定金種の小束紙幣Ｔよりも長さの長い小束紙幣Ｔは、一対の側壁部４３間で折れ曲がって収納が困難となり、設定金種の小束紙幣Ｔよりも高さの高い小束紙幣Ｔは、直ぐ上にある収納庫１２の前板部３１に干渉して、この小束紙幣Ｔが収納された小束収納庫１２（ｂ）の現金管理装置本体１１への押し込みを阻害する。各束収納凹部４９には、それぞれの側壁部４３の上面に、収納対象の金種を目視可能に明示する金種明示部５０が設けられている。なお、日本国内で流通する紙幣の場合は、全種類、高さが一定であることから、すべての小束トレイ４０の小束収納庫１２（ｂ）における底部４４の高さ位置も一定となる。各小束トレイ４０に収納すべき設定金種を示す収納金種データは、予め設定されて記憶部２６に記憶されることになる。
【００２５】
図４に示すように、棒金収納庫１２（ｃ）は、単一金種の硬貨が所定枚数集積されて包装紙で包装されてなる棒金（収納物）Ｂを入出庫可能に収納するもので、上記した枠体３４内に固定される複数、具体的には、前後に金種径に応じて６つまたは５つ、左右に４列の合成樹脂製の棒金トレイ５５を有している。
【００２６】
棒金トレイ５５は、棒金Ｂが中心軸線を上下にした立位状態で収納されるものである。棒金トレイ５５は、円筒を一部切り取った形状の湾曲面５６を、複数具体的には左側の３カ所と右側の３カ所と前端１カ所と後端１カ所の８カ所に有する鉛直方向に沿う壁部５７と、壁部５７の下部を閉塞する水平方向に沿う底部５８とを有している。壁部５７および底部５８は、下方に凹む上方開口形状の棒金収納凹部５９を構成している。湾曲面５６は左側の３カ所が左右方向の位置を合わせており、右側の３カ所も左右方向の位置を合わせている。左右前端の湾曲面５６は前後方向の位置を合わせており、中央前端の湾曲面５６はこれらよりも前側に配置されている。左右後端の湾曲面５６は前後方向の位置を合わせており、中央後端の湾曲面５６はこれらよりも後側に配置されている。
【００２７】
これにより、棒金トレイ５５の棒金収納凹部５９には、左側に３本の棒金Ｂが左右方向の位置を合わせて前後１列に並べられ、右側に３本の棒金Ｂが左右方向の位置を合わせて前後１列に並べられ、左右方向の中央に４本の棒金Ｂが左右方向の位置を合わせて前後１列に並べられ、合計１０本の棒金Ｂが収納されるようになっている。左右の棒金Ｂは前後方向の位置を互いに合わせており、中央の棒金Ｂは、これらに対して前後方向の位置をずらしている。棒金Ｂは、棒金収納凹部５９に、その上部開口を介して上方から挿入されることになり、棒金収納凹部５９の壁部５７および他の棒金Ｂで支持されて中心軸線を鉛直配置した立位状態に維持される。
【００２８】
底部５８には、各湾曲面５６と同心をなす８カ所と、これらの内側の前後２カ所とに、各棒金Ｂを載置させる円筒状の載置台部６０が上方に突出するように形成されている。載置台部６０の外径は、棒金Ｂの包装紙の加締部の内径よりも小さくされており、載置台部６０の突出高さは加締部の硬貨からの突出高さよりも高くなっている。これにより、載置台部６０は、棒金Ｂの加締部を逃げて硬貨部分を直接支持するようになっている。載置台部６０の内側は、棒金Ｂのセット検知用の、上下に貫通する貫通孔６１となっている。載置台部６０およびその内側の貫通孔６１も、左側の３カ所が左右方向の位置を合わせて前後１列に並べられており、中央の４カ所が左右方向の位置を合わせて前後１列に並べられていて、右側の３カ所が左右方向の位置を合わせて前後１列に並べられている。
【００２９】
なお、各棒金トレイ５５の棒金収納凹部５９は、それぞれ予め設定された単一金種の棒金Ｂのみが収納されるように決められている。言い換えれば、棒金収納庫１２（ｃ）には、金種毎に棒金Ｂの収納位置である棒金収納凹部５９が規定されている。各棒金トレイ５５の棒金収納凹部５９の湾曲面５６の径は、収納対象金種の棒金Ｂの外径よりも若干大径となっている。また、載置台部６０の外径は、収納対象金種の棒金Ｂの加締部の内径よりも若干小さくされており、載置台部６０の突出高さは収納対象金種の棒金Ｂの加締部の硬貨からの突出高さよりも若干高くなっている。加えて、載置台部６０の高さ位置は、いずれの棒金トレイ５５においても収納対象金種の棒金Ｂを載置した場合にその上端部の棒金収納庫１２（ｃ）での高さ位置が一定するように設定されている。つまり、長さが短い棒金Ｂを収納する棒金トレイ５５は、これが配置された棒金収納庫１２（ｃ）での載置台部６０の高さ位置が高く、長さが長い棒金Ｂを収納する棒金トレイ５５は、これが配置された棒金収納庫１２（ｃ）での載置台部６０の高さ位置が低くなっている。ただし、各棒金収納凹部５９の載置台部６０までの深さは、収納した棒金Ｂを取り出し容易とすべく上方に突出させるように設定されている。
【００３０】
これにより、棒金トレイ５５の棒金収納凹部５９には、設定金種以外の径の大きい金種の棒金Ｂと、設定金種以外の高さの高い金種の棒金Ｂとは、適正な収納が困難となり、これにより、一部の誤収納を簡易的に規制するようになっている。つまり、設定金種の棒金Ｂよりも径の大きい棒金Ｂは壁部５７あるいは他の棒金Ｂに干渉して収納が困難となり、設定金種の棒金Ｂよりも高さの高い棒金Ｂは、直ぐ上にある収納庫１２の前板部３１に干渉して、この棒金Ｂが収納された棒金収納庫１２（ｃ）の現金管理装置本体１１への押し込みを阻害する。各棒金トレイ５５には、それぞれの棒金収納凹部５９より外側の上面に、収納対象の金種を目視可能に明示する金種明示部６２が設けられている。各棒金トレイ５５に収納すべき設定金種を示す収納金種データは、予め設定されて記憶部２６に記憶されることになる。
【００３１】
ここで、左右方向における同列に配置されて前後に並ぶ棒金トレイ５５は、すべて収納対象金種が同一金種となっており、各列の最も前側の棒金トレイ５５は、収納本数が不足した状態でも棒金Ｂを倒さずに収納可能な端数用となっている。そして、端数用の棒金トレイ５５には、図５に示すように、棒金Ｂの転倒防止用の複数具体的には１０本の補助棒６３が隣り合う載置台部６０の間位置に立設されており、端数用であることを明示する端数明示部６４が棒金収納凹部５９より外側に形成されている。１０本の補助棒６３は、棒金収納凹部５９の中央の前後の載置台部６０を、２本共通でそれぞれを６本が囲むように配置されている。これにより、各湾曲面５６の内側に同軸に配置される棒金Ｂは、湾曲面５６とこれに対向する２本あるいは３本の補助棒６３とで単独でも立位状態に維持されることになり、棒金収納凹部５９の中央位置に配置される棒金Ｂは、それぞれ６本の補助棒６３で単独でも立位状態に維持されることになる。その結果、最も前側の棒金トレイ５５の棒金Ｂは、他の棒金Ｂがなくても転倒が防止され立位状態に維持されるようになっている。
【００３２】
ここで、最も前側を除く棒金トレイ５５には必ず棒金Ｂを満杯状態つまり１０本収納し、棒金Ｂを満杯状態以外で収納する場合には、最も前側の棒金トレイ５５に収納することがルール化されており、係員は、最も前側の棒金トレイ５５から棒金Ｂを必要数だけ取り出し、最も前側の棒金トレイ５５が空になり、その後側の棒金トレイ５５から棒金Ｂを取り出す場合には、この後側の棒金トレイ５５の残りの端数の棒金Ｂを、最も前側の棒金トレイ５５に移載するようになっている。
【００３３】
図６に示すように、現金管理装置本体１１の各小束収納庫１２（ｂ）が挿入される小束収納庫挿入空間形成部６５の下部の前端部には、図３に示す小束収納庫１２（ｂ）の左右２列の小束トレイ４０のそれぞれのセンサ溝４８の直ぐ下側となる位置に、センサ溝４８を介して小束紙幣Ｔのセット検知を行う光学反射型の小束セット検知センサ（貨幣検出部）６６が位置固定で設けられている。なお、各センサ溝４８は、束収納凹部４９における小束紙幣Ｔの結束テープｔが所定の一側（左側）にあるときの、結束テープｔの位置に合わせて形成されており、よって、各小束セット検知センサ６６も、図７（Ａ）に示すように、束収納凹部４９における小束紙幣Ｔの結束テープｔが所定の一側（左側）にあるときの、結束テープｔの位置に合わせて配置されている。なお、センサ溝４８は他側である右側にあっても、左右両側にあっても良く、いずれの場合であっても、小束セット検知センサ６６はセット検知だけではなく、帯である結束テープｔの検出センサの補助としても機能する。例えば、左側に小束セット検知センサ６６があったときに、結束テープｔも左側にあれば、小束セット検知センサ６６がその結束テープｔも検出でき、逆に結束テープｔが右側であれば、小束セット検知センサ６６が左側に結束テープｔがないことを検出できる。
【００３４】
また、図６に示すように、現金管理装置本体１１の各小束収納庫１２（ｂ）が挿入される小束収納庫挿入空間形成部６５の上部の前端部には、小束収納庫１２（ｂ）の左右２列の小束トレイ４０のそれぞれの上方近接位置に、図７（Ｂ）にも示すように、小束紙幣Ｔの左端位置を検出する左端検出ラインセンサ（貨幣検出部）６７、小束紙幣Ｔの左側に結束テープｔつまり帯がある場合にこれを検出する左側帯検出ラインセンサ（貨幣検出部）６８、小束紙幣Ｔの右側に結束テープｔがある場合にこれを検出する右側帯検出ラインセンサ（貨幣検出部）６９および小束紙幣Ｔの右端位置を検出する右端検出ラインセンサ（貨幣検出部）７０の４つのセンサが位置固定で設けられている。左端検出ラインセンサ６７、左側帯検出ラインセンサ６８、右側帯検出ラインセンサ６９および右端検出ラインセンサ７０は検出素子を左右方向に並べた光学反射型のラインセンサとなっている。
【００３５】
小束セット検知センサ６６は、１つの小束収納庫１２（ｂ）に対し左右方向に並べられて２個設けられ、また、左端検出ラインセンサ６７、左側帯検出ラインセンサ６８、右側帯検出ラインセンサ６９および右端検出ラインセンサ７０の組が、１つの小束収納庫１２（ｂ）に対し左右方向に並べられて２組設けられている。
【００３６】
小束セット検知センサ６６は、発光素子が検出方向を上方に向けており、上方に発光した光の上方からの反射光を対応する受光素子で受光するようになっている。その結果、各小束収納庫１２（ｂ）のそれぞれの直ぐ下に設けられた小束セット検知センサ６６が、これらの直ぐ上で前後にスライドする小束収納庫１２（ｂ）の各束収納凹部４９に収納された小束紙幣Ｔの下端部の反射光データである貨幣検出反射データ（貨幣検出情報）をセンサ溝４８を介して取得することになる。
【００３７】
左端検出ラインセンサ６７、左側帯検出ラインセンサ６８、右側帯検出ラインセンサ６９および右端検出ラインセンサ７０は、各発光素子が検出方向を下方に向けており、下方に発光した光の下方からの反射光を対応する受光素子で受光するようになっている。その結果、各小束収納庫１２（ｂ）のそれぞれの直ぐ上に設けられた左端検出ラインセンサ６７、左側帯検出ラインセンサ６８、右側帯検出ラインセンサ６９および右端検出ラインセンサ７０が、これらの直ぐ下で前後にスライドする小束収納庫１２（ｂ）の各束収納凹部４９に収納された小束紙幣Ｔの上端部の反射光データである貨幣検出反射データ（貨幣検出情報）を取得することになる。
【００３８】
なお、検出対象となる小束収納庫１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、小束セット検知センサ６６、左端検出ラインセンサ６７、左側帯検出ラインセンサ６８、右側帯検出ラインセンサ６９および右端検出ラインセンサ７０は、検出対象となる小束収納庫１２（ｂ）の各束収納凹部４９の前後方向の全範囲を検出できるようになっている。小束セット検知センサ６６は、小束収納庫１２（ｂ）の開閉に伴って通過する、この小束収納庫１２（ｂ）内の小束紙幣Ｔの下端部から貨幣検出反射データを取得することになり、左端検出ラインセンサ６７、左側帯検出ラインセンサ６８、右側帯検出ラインセンサ６９および右端検出ラインセンサ７０は、小束収納庫１２（ｂ）の開閉に伴って通過する、この小束収納庫１２（ｂ）内の小束紙幣Ｔの上端部から貨幣検出反射データを取得することになる。
【００３９】
ここで、制御部２５は、小束セット検知センサ６６の貨幣検出反射データから、反射光量が多いセンサ溝４８上の紙幣あるいは結束テープｔと、紙幣がなく反射光量が少なくなる他の部分（センサ溝４８上の空間、センサ溝４８以外の部分）とを区別することで、小束紙幣Ｔが収納されている範囲を検出する。
【００４０】
また、小束紙幣Ｔには、一束ずつに結束テープｔが巻回されており、この結束テープｔが上端部にも存在することから、制御部２５は、左側帯検出ラインセンサ６８および右側帯検出ラインセンサ６９の貨幣検出反射データから、反射光量が多い結束テープｔと、結束テープｔが巻回されず反射光量が少なくなる紙幣部分と、紙幣がなく反射光量がさらに少なくなる他の部分（束収納凹部４９内外の空間）とを区別することになる。
【００４１】
また、制御部２５は、左側帯検出ラインセンサ６８および右側帯検出ラインセンサ６９の貨幣検出反射データから、隣り合う小束紙幣Ｔの結束テープｔと結束テープｔとの間の反射光量が少なくなる部分や、隣り合う小束紙幣Ｔの結束テープｔと紙幣との間の反射光量が少なくなる部分を検出することで、隣り合う小束紙幣Ｔの間部分を検出する。
【００４２】
さらに、制御部２５は、左端検出ラインセンサ６７および右端検出ラインセンサ７０の貨幣検出反射データから、反射光量が多い紙幣部分と、紙幣がなく反射光量が少なくなる他の部分（束収納凹部４９内外の空間）とを区別することで、紙幣部分の端部を検出した各受光素子の位置から小束紙幣Ｔの長さ方向の両端部の位置を検出する。
【００４３】
制御部２５は、後述するロータリエンコーダ８８で検知ディスク８７のスリットを検知する毎に小束セット検知センサ６６、左端検出ラインセンサ６７、左側帯検出ラインセンサ６８、右側帯検出ラインセンサ６９および右端検出ラインセンサ７０のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００４４】
そして、制御部２５は、小束セット検知センサ６６で小束紙幣Ｔが検出されている範囲を基準として検出範囲を設定し、この検出範囲における、左側帯検出ラインセンサ６８および右側帯検出ラインセンサ６９の補正後の貨幣検出反射データと、記憶部２６に記憶された小束紙幣Ｔ用の数量マスタデータ（数量マスタ情報）とを照合することで、小束収納庫１２（ｂ）内の小束紙幣Ｔの数量である数量検出データ（数量検出情報）を取得する。例えば、補正後の貨幣検出反射データの中で、一つの結束テープｔと判断できる、数量マスタデータの結束テープ判断基準光量データ以上の光量があり且つ数量マスタデータの結束テープ判断基準面積データ以上の纏まった面積を有する結束テープ部分を数えて、これを小束紙幣Ｔの数量である数量検出データとする。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの数量検出データを取得する。
【００４５】
また、制御部２５は、上記検出範囲における、左端検出ラインセンサ６７および右端検出ラインセンサ７０の補正後の貨幣検出反射データと、記憶部２６に記憶された金種マスタデータ（金種マスタ情報）とを照合することで、小束収納庫１２（ｂ）内の小束紙幣Ｔの金種である金種検出データ（金種検出情報）を取得する。例えば、左端検出ラインセンサ６７および右端検出ラインセンサ７０の補正後の貨幣検出反射データの中で、上記のように検出した結束テープ部分と前後方向位置が同じ部分のデータから、光量が金種マスタデータの紙幣判断基準光量データ以上となる部分と未満となる部分との境界位置を割り出し、左右両側の境界位置間の長さを、金種マスタデータの金種基準長さデータと比較して、許容範囲内で一致する金種基準長さデータに対応する金種を、この結束テープ部分に対応する小束紙幣Ｔの金種とする金種検出データを取得する金種判断を行う。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの金種検出データを取得する。
【００４６】
なお、制御部２５は、小束収納庫１２（ｂ）内のすべての束収納凹部４９について、左端検出ラインセンサ６７および右端検出ラインセンサ７０で検出される規定の金種以外の金種の小束紙幣Ｔが収納されていること、つまり対応金種の収納位置に収納されていない異金種小束紙幣（異金種収納物）Ｔを検出すると、表示部１７に警告表示を行わせ、音声発生部２０で警告音を発生させる。
【００４７】
図８に示すように、現金管理装置本体１１の各棒金収納庫１２（ｃ）が挿入される棒金収納庫挿入空間形成部７５の下部の前端部には、棒金収納庫１２（ｃ）の左右４列の棒金トレイ５５のそれぞれの３列の貫通孔６１の直ぐ下側となる位置に、左右方向に同列で前後方向に並ぶ貫通孔６１を介して棒金Ｂのセット検知を行う光学反射型の棒金セット検知センサ（貨幣検出部）７６が位置固定で設けられている。
【００４８】
また、現金管理装置本体１１の各棒金収納庫１２（ｃ）が挿入される棒金収納庫挿入空間形成部７５の上部の前端部には、棒金収納庫１２（ｃ）の左右４列の棒金トレイ５５のそれぞれの３列の載置台部６０の上方近接位置に、左右方向に同列で前後方向に並ぶ棒金Ｂの上端部を検出する、検出素子を左右方向に並べた光学反射型の棒金検出ラインセンサ（貨幣検出部）７７が、それぞれ位置固定で設けられている。
【００４９】
つまり、棒金セット検知センサ７６は、図９（Ａ）にも示すように、１つの棒金収納庫１２（ｃ）に対し左右方向に並べられて１２カ所設けられ、棒金検出ラインセンサ７７は、図９（Ｂ）にも示すように、１つの棒金収納庫１２（ｃ）に対し左右方向に並べられて１２カ所設けられている。
【００５０】
棒金セット検知センサ７６は、発光素子が検出方向を上方に向けており、上方に発光した光の上方からの反射光を対応する受光素子で受光するようになっている。その結果、各棒金収納庫１２（ｃ）のそれぞれの直ぐ下に設けられた棒金セット検知センサ７６が、これらの直ぐ上で前後にスライドする棒金収納庫１２（ｃ）の各棒金収納凹部５９に収納された棒金Ｂの下端部の反射光データである貨幣検出反射データ（貨幣検出情報）を貫通孔６１を介して取得することになる。
【００５１】
棒金検出ラインセンサ７７は、各発光素子が検出方向を下方に向けており、下方に発光した光の下方からの反射光を対応する受光素子で受光するようになっている。その結果、各棒金収納庫１２（ｃ）のそれぞれの直ぐ上に設けられた棒金検出ラインセンサ７７が、これらの直ぐ下で前後にスライドする棒金収納庫１２（ｃ）の各棒金収納凹部５９に収納された棒金Ｂの上端部の反射光データである貨幣検出反射データ（貨幣検出情報）を取得することになる。
【００５２】
なお、検出対象となる棒金収納庫１２（ｃ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、棒金セット検知センサ７６および棒金検出ラインセンサ７７は、検出対象となる棒金収納庫１２（ｃ）の各棒金収納凹部５９の前後方向の全範囲を検出できるようになっている。棒金セット検知センサ７６は、棒金収納庫１２（ｃ）の開閉に伴って通過する、この棒金収納庫１２（ｃ）内の棒金Ｂの下端部から貨幣検出反射データを取得することになり、棒金検出ラインセンサ７７は、棒金収納庫１２（ｃ）の開閉に伴って通過する、この棒金収納庫１２（ｃ）内の棒金Ｂの上端部から貨幣検出反射データを取得することになる。
【００５３】
ここで、制御部２５は、棒金セット検知センサ７６の貨幣検出反射データから、反射光量が多い貫通孔６１上の棒金Ｂと、棒金Ｂがなく反射光量が少なくなる他の部分（貫通孔６１上の空間、貫通孔６１以外の部分）とを区別することで、棒金Ｂが収納されている範囲を検出する。
【００５４】
また、制御部２５は、棒金検出ラインセンサ７７の貨幣検出反射データから、反射光量が多い棒金Ｂと、反射光量が少なくなる他の部分（棒金収納凹部５９内外の空間）とを区別することになり、棒金Ｂの他の部分との境界位置である外周部を検出した各受光素子の位置から棒金Ｂの外周部の位置を検出する。また、棒金Ｂの反射光量から金種を識別することになり、反射光量が少なくなる他の部分のうち、形状、大きさおよび外周部に対する位置から棒金Ｂ内の孔であるか否かを識別することになる。
【００５５】
制御部２５は、後述するロータリエンコーダ８８で検知ディスク８７のスリットを検知する毎に棒金セット検知センサ７６および棒金検出ラインセンサ７７のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００５６】
そして、制御部２５は、棒金セット検知センサ７６で棒金Ｂが検出されている範囲を基準として検出範囲を設定し、この検出範囲における、棒金検出ラインセンサ７７の補正後の貨幣検出反射データと、記憶部２６に記憶された棒金Ｂ用の数量マスタデータ（数量マスタ情報）とを照合することで、棒金収納庫１２（ｃ）内の棒金Ｂの数量である数量検出データ（数量検出情報）を取得する。例えば、棒金検出ラインセンサ７７の補正後の貨幣検出反射データの中で、一つの棒金Ｂと判断できる、数量マスタデータの棒金判断基準光量データ以上の光量があり且つ数量マスタデータの棒金判断基準面積データ以上の纏まった面積を有する棒金部分を数えて、これを棒金Ｂの数量である数量検出データとする。勿論、制御部２５は、棒金セット検知センサ７６および棒金検出ラインセンサ７７の各組それぞれについて、別々に、棒金Ｂの数量検出データを取得する。
【００５７】
また、制御部２５は、上記検出範囲における、棒金検出ラインセンサ７７の補正後の貨幣検出反射データと、記憶部２６に記憶された金種マスタデータ（金種マスタ情報）とを照合することで、棒金収納庫１２（ｃ）内の棒金Ｂの金種である金種検出データ（金種検出情報）を取得する。例えば、棒金検出ラインセンサ７７の補正後の貨幣検出反射データの中で、上記のように検出し棒金部分と前後方向位置が同じ部分のデータから、光量が金種マスタデータの棒金判断基準光量データ以上となる部分と未満となる部分との境界位置を割り出して、棒金Ｂの外径および孔の有無を求め、これらと棒金部分の貨幣検出反射データの反射光量とを金種マスタデータの金種基準データと比較して、許容範囲内で一致する金種基準データに対応する金種を、この棒金部分に対応する棒金Ｂの金種とする金種検出データを取得する金種判断を行う。勿論、制御部２５は、左右方向の位置が合う棒金セット検知センサ７６および棒金検出ラインセンサ７７の各組それぞれについて、別々に、棒金Ｂの金種検出データを取得する。
【００５８】
なお、制御部２５は、小束収納庫１２（ｂ）内のすべての棒金収納凹部５９について、棒金検出ラインセンサ７７で検出される規定の金種以外の金種の棒金Ｂが収納されていること、つまり対応金種の収納位置に収納されていない異金種棒金（異金種収納物）Ｂを検出すると、表示部１７に警告表示を行わせ、音声発生部２０で警告音を発生させる。
【００５９】
現金管理装置本体１１には、すべての小束紙幣収納庫挿入空間形成部６５およびすべての棒金収納庫挿入空間形成部７５のそれぞれの前端位置と後端位置とに、図１０に示すように、支持軸８１，８２を介して歯付プーリ８３，８４が位置固定で回転可能に設けられており、後端の歯付プーリ８４の上側にも、支持軸８５を介して歯付プーリ８６が位置固定で回転可能に設けられている。支持軸８５には、所定の等間隔でスリットが形成された検知ディスク８７が歯付プーリ８６と一体回転するように設けられており、現金管理装置本体１１には、検知ディスク８７の上側に検知ディスク８７の回転を検知するロータリエンコーダ（位相検出部）８８が位置固定で設けられている。なお、ロータリエンコーダ８８は、検知ディスク８７のスリットの検知数から検知ディスク８７の回転量を検知することになり、単位時間当たりのスリットの検知数から検知ディスク８７の回転速度を検知することになる。
【００６０】
そして、三つの歯付プーリ８３，８４，８６にはタイミングベルト９１が巻回されており、このタイミングベルト９１には、収納庫１２のうちの挿入されたものの後端部が固定されている。これにより、収納庫１２が開閉されるとこれに連動してタイミングベルト９１が回転して三つの歯付プーリ８３，８４，８６および検知ディスク８７を回転させることになり、よって、ロータリエンコーダ８８が、検知ディスク８７の回転データである個別の収納庫１２の開閉位相データ（開閉位相情報）を取得することになる。制御部２５は、この開閉位相データから収納庫１２の開閉方向およびその位置を割り出すことになり、移動量を時間で除算することで収納庫１２の開閉速度を割り出すことになる。なお、検知ディスク８７と一体回転する歯付プーリ８６の前方にはタイミングベルト９１の弛みをとるテンションプーリ９２が設けられている。
【００６１】
また、現金管理装置本体１１には、すべての小束紙幣収納庫挿入空間形成部６５およびすべての棒金収納庫挿入空間形成部７５のそれぞれの後端位置に、収納庫１２のうちの挿入されたものの後端部の検知片９５を検知することで、この収納庫１２が現金管理装置本体１１に最も押し込まれた後端位置である全閉位置にあることを示す開閉位相データ（開閉位相情報）を取得する全閉検知センサ（位相検出部）９６が位置固定で設けられている。現金管理装置本体１１には、小束紙幣収納庫挿入空間形成部６５および棒金収納庫挿入空間形成部７５のそれぞれの前端位置に、収納庫１２のうちの挿入されたものの後端部の検知片９５を検知することで、この収納庫１２が現金管理装置本体１１から最も引き出された前端位置である全開位置にあることを示す開閉位相データ（開閉位相情報）を取得する全開検知センサ（位相検出部）９７が位置固定で設けられている。つまり、全閉検知センサ９６および全開検知センサ９７は、収納庫１２の開閉位相情報を取得する。
【００６２】
加えて、現金管理装置本体１１には、すべての小束紙幣収納庫挿入空間形成部６５およびすべての棒金収納庫挿入空間形成部７５のそれぞれの前部位置に、図１１に示すように、収納庫１２のうちの挿入されたものの側板部３２から突出する係合ピン１０１に係合することでこの収納庫１２を全閉位置でロックするロック機構２２が設けられている。つまり、収納庫１２のそれぞれに対して、収納庫１２を閉状態で個別にロックするロック機構２２が設けられている。
【００６３】
各ロック機構２２は、ソレノイド１０２と、ソレノイド１０２の駆動で支持軸１０３を中心に回動する鉤形のロック部材１０４とを有している。ロック部材１０４は、前端の爪部１０５が下降状態にあるとき係合ピン１０１に係合して収納庫１２を引き出し不可にロックする一方、ソレノイド１０２が電気的に駆動され、爪部１０５が上昇状態となると係合ピン１０１への係合を解除して収納庫１２を引き出し可能とし開作動を許容する状態となる。また、収納庫１２の引き出し後にソレノイド１０２の駆動が解除されると、ロック部材１０４は、爪部１０５が下降状態となり、この状態で、収納庫１２が全閉位置の戻されると、係合ピン１０１が爪部１０５を押し上げた後に下降させることになり、爪部１０５が係合ピン１０１に係合して収納庫１２を引き出し不可に自動的かつ機械的にロックする。
【００６４】
加えて、現金管理装置本体１１には、すべての小束紙幣収納庫挿入空間形成部６５およびすべての棒金収納庫挿入空間形成部７５のそれぞれの後端位置に、一つの収納庫１２が引き出された状態では他のすべての収納庫１２の引き出しを規制することで現金管理装置１０の転倒を防止する図１２に示す転倒防止機構１１０が設けられている。この転倒防止機構１１０は、現金管理装置本体１１に上下に移動可能に支持された昇降体１１１と、収納庫１２のそれぞれの後端部に設けられた作動ピン１１２とを有している。昇降体１１１は、各収納庫１２の位置に、前下がりで傾斜する溝部１１３が形成された規制部材１１４を有している。
【００６５】
転倒防止機構１１０は、一つの収納庫１２が引き出されると、その作動ピン１１２が、図１２（Ａ）から図１２（Ｂ）に示すように、溝部１１３を移動することで溝部１１３の傾斜により昇降体１１１を上昇させる。この状態では、図１２（Ｂ）に示すように、他の収納庫１２の作動ピン１１２の前方に、規制部材１１４が溝部１１３の後端を作動ピン１１２よりも上昇させた状態で配置されることになり、これにより、規制部材１１４が作動ピン１１２に当接して収納庫１２の引き出しを規制する。
【００６６】
昇降体１１１は摩擦により下降が規制されるようになっており、図１２（Ｂ）から図１２（Ａ）に示すように、引き出されていた収納庫１２が戻されると、その作動ピン１１２が溝部１１３を移動することで溝部１１３の傾斜により昇降体１１１を下降させる。この状態では、図１２（Ａ）に示すように、すべて収納庫１２の作動ピン１１２の前方に、規制部材１１４が溝部１１３の後端を作動ピン１１２と高さを合わせた状態で配置されることになり、これにより、規制部材１１４が作動ピン１１２を溝部１１３に挿入させることが可能となり、すべての収納庫１２について択一的な引き出しを許容する状態となる。
【００６７】
そして、本実施形態において、制御部２５は、すべての小束収納庫１２（ｂ）のそれぞれについて、一の小束収納庫１２（ｂ）に対して設けられた全閉検知センサ９６および全開検知センサ９７の検知結果である開閉位相データからこの一の小束収納庫１２（ｂ）が開閉両端位置以外にあり、かつ、この一の小束収納庫１２（ｂ）に対して設けられたロータリエンコーダ８８の開閉位相データからこの一の小束収納庫１２（ｂ）が停止していると判定した状態にあるとき、この一の小束収納庫１２（ｂ）に対して設けられた小束セット検知センサ６６、左端検出ラインセンサ６７、左側帯検出ラインセンサ６８、右側帯検出ラインセンサ６９および右端検出ラインセンサ７０のいずれかの貨幣検出反射データに所定の変化が生じると、不正処理が生じたと判定する。不正処理が生じたと判定すると、制御部２５は、その旨のアラーム表示を表示部１７に表示させるとともに、アラーム音を音声発生部２０に発生させて警告する。
【００６８】
小束セット検知センサ６６、左端検出ラインセンサ６７、左側帯検出ラインセンサ６８、右側帯検出ラインセンサ６９および右端検出ラインセンサ７０における貨幣検出反射データのこの所定の変化は、数量マスタデータに基づいて変化の有無が判定されるものであり、具体的には、貨幣検出反射データが、数量マスタデータのうち小束紙幣Ｔが有ることを判定する束有判定基準データ以上である、小束紙幣Ｔを検出していると判定する状態から、束有判定基準データ未満である、小束紙幣Ｔを検出していないと判定する状態への変化と、小束紙幣Ｔを検出していないと判定する状態から、検出していると判定する状態への変化との両方となっている。なお、貨幣検出反射データの上記の所定の変化として、左端検出ラインセンサ６７、左側帯検出ラインセンサ６８、右側帯検出ラインセンサ６９および右端検出ラインセンサ７０のいずれかが、指を検出していない状態から指を検出したと判定できる状態への変化を合わせても良い。
【００６９】
また、制御部２５は、すべての棒金収納庫１２（ｃ）のそれぞれについて、一の棒金収納庫１２（ｃ）に対して設けられた全閉検知センサ９６および全開検知センサ９７の検知結果である開閉位相データからこの一の棒金収納庫１２（ｃ）が開閉両端位置以外にあり、かつ、この一の棒金収納庫１２（ｃ）に対して設けられたロータリエンコーダ８８の開閉位相データからこの一の棒金収納庫１２（ｃ）が停止していると判定した状態にあるとき、この一の棒金収納庫１２（ｃ）に対して設けられた棒金セット検知センサ７６および棒金検出ラインセンサ７７のいずれかの貨幣検出反射データに所定の変化が生じると、不正処理が生じたと判定する。不正処理が生じたと判定すると、制御部２５は、その旨のアラーム表示を表示部１７に表示させるとともに、アラーム音を音声発生部２０に発生させて警告する。
【００７０】
棒金セット検知センサ７６における貨幣検出反射データのこの所定の変化は、数量マスタデータに基づいて変化の有無が判定されるものであり、具体的には、貨幣検出反射データが、数量マスタデータのうち棒金Ｂが有ることを判定する棒金有判定基準データ以上である、棒金Ｂを検出していると判定する状態から、棒金有判定基準データ未満である、棒金Ｂを検出していないと判定する状態への変化と、棒金Ｂを検出していないと判定する状態から、検出していると判定する状態への変化との両方となっている。なお、貨幣検出反射データの上記の所定の変化として、棒金検出ラインセンサ７７が、指を検出していない状態から指を検出したと判定できる状態への変化を合わせても良い。
【００７１】
以上の構成の第１実施形態に係る現金管理装置１０においては、担当者が、他の入出金機に補充する等の目的で棒金Ｂおよび小束紙幣Ｔのうちの少なくともいずれか一方を取り出す出庫時、現金管理装置１０に棒金Ｂおよび小束紙幣Ｔのうちの少なくともいずれか一方を収納する入庫時、および入庫と出庫とを同時に行う入庫・出庫時のいずれかの入出庫取引時に、まず、一の入出庫取引の開始にあたって、現金管理装置１０のカードリーダ１８にＩＤカードのカード識別データを読み取らせ操作キーボード１９に担当者識別データを入力する。すると、制御部２５が、入力されたこれらのカード識別データおよび担当者識別データと一致するデータが記憶部２６に予め記憶されたカード識別のマスタデータおよび担当者識別のマスタデータにあるか否かを判定し、いずれか一方でもマスタデータにない場合、表示部１７にその旨の警告を発生させるとともに、音声発生部２０にアラーム音を発生させる。
【００７２】
入力されたカード識別データおよび担当者識別データと一致するカード識別および担当者識別のマスタデータがある場合、制御部２５は、日時情報を含むこの一の入出庫取引の取引識別データを設定するとともに、小束収納庫１２（ｂ）に対し入出庫される小束紙幣Ｔおよび棒金収納庫１２（ｃ）に対し入出庫される棒金Ｂのうちの少なくともいずれか一方について少なくとも一の金種である金種入力データ（金種入力情報，取引入力情報）の入力と、入力された金種入力データのそれぞれについての入庫であるか出庫であるかの区別データ（区別情報，取引入力情報）の入力と、入力された金種入力データのそれぞれについての数量である数量入力データ（数量入力情報，取引入力情報）の入力とを促す表示を、表示部１７に表示させる。すると、担当者は、操作キーボード１９に、これらの情報を入力することになり、この入力が適正である場合に限り、制御部２５は、入力データを確定する確定操作を促す表示を表示部１７に表示させて確定操作を許可する。
【００７３】
これを見た担当者により確定操作が操作キーボード１９に入力されると、制御部２５は、上記した金種入力データ、区別データおよび数量入力データを表示部１７に表示させるとともに、先に設定したこの一の入出庫取引の取引識別データに関連付けて、この一の入出庫取引で入力された担当者識別データと、この一の入出庫取引にて入力された上記の金種入力データ、区別データおよび数量入力データとを記憶部２６に記憶する。
【００７４】
そして、制御部２５は、この一の入出庫取引にて入力された金種入力データに小束紙幣Ｔが含まれる場合は、含まれる金種の小束紙幣Ｔを収納している小束収納庫１２（ｂ）を、一旦通常の開閉取引としてその開庫を許可し、対応するロック機構２２によりロックを解除することによって、入力された金種入力データの小束紙幣Ｔが収納されている小束収納庫１２（ｂ）を開作動可能とするとともに、開作動可能な小束収納庫１２（ｂ）の表示灯２３を点灯させる。また、この一の入出庫取引にて入力された金種入力データに棒金Ｂが含まれる場合は、含まれる金種の棒金Ｂを収納している棒金収納庫１２（ｃ）を、一旦通常の開閉取引としてその開庫を許可し、対応するロック機構２２によりロックを解除することによって、入力された金種入力データの棒金Ｂが収納されている棒金収納庫１２（ｃ）を開作動可能とするとともに、開作動可能な棒金収納庫１２（ｃ）の表示灯２３を点灯させる。勿論、小束収納庫１２（ｂ）および棒金収納庫１２（ｃ）のうち、入力された金種入力データの貨幣を収納していないもののロックは解除せず、表示灯２３も消灯状態を維持する。なお、複数の収納庫１２のロック機構２２によるロックが解除されても、転倒防止機構１１０によって、一つの収納庫１２が引き出されると、他の収納庫１２の引き出しは規制されることになる。
【００７５】
例えば、制御部２５は、この一の入出庫取引にて入力された金種入力データに、一の小束収納庫１２（ｂ）に収納されている小束紙幣Ｔが含まれる場合、この一の小束収納庫１２（ｂ）のロック機構２２のロックを解除するとともにその表示灯２３を点灯させることになり、その後、この一の小束収納庫１２（ｂ）の現金管理装置本体１１からの引き出しが開始されると、この一の小束収納庫１２（ｂ）用の全閉検知センサ９６、ロータリエンコーダ８８および全開検知センサ９７の開閉位相データからこの一の小束収納庫１２（ｂ）の開閉位置を検出することになり、これらの開閉位相データからこの一の小束収納庫１２（ｂ）が後端位置から前端位置（所定位置）まで移動したか否かを判断する。
【００７６】
つまり、制御部２５は、全閉検知センサ９６、ロータリエンコーダ８８および全開検知センサ９７の開閉位相データに基づき、ロータリエンコーダ８８が検知ディスク８７の回転の検知を開始し且つ全閉検知センサ９６が検知片９５を検知しない状態となった後、ロータリエンコーダ８８が検知ディスク８７の回転の検知を停止し且つ全開検知センサ９７が検知片９５を検知する状態となると、この一の小束収納庫１２（ｂ）が後端位置から前端位置まで開庫された正常開動作を検出する。なお、全閉状態から全開状態までの途中で一旦開庫が止まっても、所定の開時許容時間内に、全開状態になれば、正常開動作と判断する。
【００７７】
その後、制御部２５は、ロータリエンコーダ８８が検知ディスク８７の回転の検知を開始し且つ全開検知センサ９７が検知片９５を検知しない状態となることで、この一の小束収納庫１２（ｂ）の閉方向の移動開始を検出すると、この一の小束収納庫１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の小束収納庫１２（ｂ）が後端位置に閉庫されたことが検出されると、貨幣検出反射データの取り込みを終了させる。
【００７８】
他方、制御部２５は、ロータリエンコーダ８８が検知ディスク８７の回転の検知を開始し且つ全閉検知センサ９６が検知片９５を検知しない状態となった後、全開検知センサ９７が検知片９５を検知する状態とならずに、ロータリエンコーダ８８が検知ディスク８７の回転の検知を停止し且つ全閉検知センサ９６が検知片９５を検知する状態となると、この一の小束収納庫１２（ｂ）が前端位置まで開庫されずに後端位置に閉庫された異常開閉動作を検出することになる。
【００７９】
この異常開閉動作を検出すると、制御部２５は、表示部１７に、この一の小束収納庫１２（ｂ）の識別表示と、この一の小束収納庫１２（ｂ）を前端位置まで開庫してから後端位置に閉庫させるように促す警告表示とを表示させるとともに、音声発生部２０にアラーム音を発生させて、この一の小束収納庫１２（ｂ）のロックを再び解除して、この一の小束収納庫１２（ｂ）が後端位置から前端位置まで開庫された正常開動作を検出するまで待機する。正常開動作を検出すると、上記と同様に、この一の小束収納庫１２（ｂ）が後端位置に閉庫されたことが検出されるまで、貨幣検出反射データの取り込みを行う。なお、この異常開閉動作の検出時には、制御部２５は、この一の小束収納庫１２（ｂ）が前端位置まで再開庫された後に後端位置に再閉庫されなければ、上記した表示部１７の警告表示および音声発生部２０のアラーム音を解除せず、この一の小束収納庫１２（ｂ）が前端位置まで再開庫された後に後端位置に再閉庫されると上記した警告表示およびアラーム音を解除する。
【００８０】
また、制御部２５は、ロータリエンコーダ８８が検知ディスク８７の回転の検知を開始し且つ全閉検知センサ９６が検知片９５を検知しない状態となった後、全開検知センサ９７が検知片９５を検知する状態とならずに、所定の開時許容時間が経過すると、この一の小束収納庫１２（ｂ）の異常開動作を検出することになる。
【００８１】
この異常開動作を検出すると、制御部２５は、表示部１７に、この一の小束収納庫１２（ｂ）の識別表示と、この一の小束収納庫１２（ｂ）を前端位置まで開庫してから後端位置に閉庫させるように促す警告表示とを表示させるとともに、音声発生部２０にアラーム音を発生させて、この一の小束収納庫１２（ｂ）が前端位置まで開庫された正常開動作を検出するまで待機する。正常開動作を検出すると、上記と同様に、この一の小束収納庫１２（ｂ）が後端位置に閉庫されたことが検出されるまで、貨幣検出反射データの取り込みを行う。なお、この異常開動作の検出時には、制御部２５は、この一の小束収納庫１２（ｂ）が前端位置まで開庫された後に後端位置に閉庫されなければ、上記した表示部１７の警告表示および音声発生部２０のアラーム音を解除せず、この一の小束収納庫１２（ｂ）が前端位置まで開庫された後に後端位置に閉庫されると上記した警告表示およびアラーム音を解除する。
【００８２】
そして、一回目の開閉庫の場合および再度の開閉庫の場合のいずれにおいても、この一の小束収納庫１２（ｂ）の前端位置から後端位置に閉庫された正常開閉動作が検出されると、制御部２５は、この一の小束収納庫１２（ｂ）の表示灯２３を消灯し、この一の小束収納庫１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組についての閉庫時の貨幣検出反射データから、上記のようにして、この一の小束収納庫１２（ｂ）の各束収納凹部４９に収納された小束紙幣Ｔの数量検出データおよび個々の小束紙幣Ｔの金種検出データを取得する。取得後、制御部２５は、表示部１７に、上記した金種入力データ、区別データおよび数量入力データを表示させるとともに、合わせて、この一の小束収納庫１２（ｂ）の識別表示と、この一の小束収納庫１２（ｂ）について取得した、数量検出データおよび金種検出データを総合した金種別の数量検出データとを関連付けて表示させる。
【００８３】
加えて、制御部２５は、今回取得した金種別の数量検出データと、前回の入出庫取引時に記憶部２６に記憶されたこの一の小束収納庫１２（ｂ）の金種別の数量検出データとから、この一の小束収納庫１２（ｂ）における増減分となる、今回の一の入出庫取引での、実取引の数量である数量実取引データ（数量実取引情報）および実取引の金種である金種実取引データ（金種実取引情報）を総合した金種別の数量実取引データを割り出す。そして、制御部２５は、この金種別の数量実取引データを、今回の一の入出庫取引で入力された数量入力データと金種入力データとを総合した金種別の数量入力データと照合し、差異が存在したか否かを判定する。つまり、金種別の数量実取引データと、金種別の数量入力データとが一致すれば、差異は存在しないと判定し、それ以外は、差異が発生したと判定する。
【００８４】
差異が存在しなければ、制御部２５は、各束収納凹部４９の小束紙幣Ｔの金種検出データと各束収納凹部４９の規定の収納金種とから、対応金種の束収納凹部４９に収納されていない異金種小束紙幣Ｔが存在するか否かを判定し、異金種小束紙幣Ｔが存在しなければ、今回割り出した金種別の数量実取引データと、今回取得した金種別の数量検出データとを、この一の入出庫取引の取引識別データと関連付けて記憶部２６に記憶し、この一の小束収納庫１２（ｂ）に対する開閉取引が終了したと判断する。
【００８５】
差異が存在しないものの、異金種小束紙幣Ｔが存在していると、制御部２５は、表示部１７に、異金種小束紙幣Ｔが存在している旨と、この一の小束収納庫１２（ｂ）の識別表示と、異金種小束紙幣Ｔが存在している束収納凹部４９の識別表示とを関連付けて、警報として表示させるとともに、再びこの一の小束収納庫１２（ｂ）に対する開庫を許可して、そのロックを対応するロック機構２２により解除することにより、この一の小束収納庫１２（ｂ）を開作動可能とするとともに、その表示灯２３を点灯させる。
【００８６】
このロック解除後、制御部２５は、上記と同様にして、全閉検知センサ９６、ロータリエンコーダ８８および全開検知センサ９７の開閉位相データからこの一の小束収納庫１２（ｂ）の正常開動作を検出すると、その後、閉方向の移動開始を検出すると同時に、この一の小束収納庫１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組により、閉庫時の貨幣検出反射データの取り込みを、この一の小束収納庫１２（ｂ）が後端位置に閉庫されたことが検出されるまで、行わせる。この閉庫時の貨幣検出反射データから、この一の小束収納庫１２（ｂ）の各束収納凹部４９の小束紙幣Ｔの金種検出データを取得する。これを異金種小束紙幣Ｔが存在しなくなるまで行う。
【００８７】
他方、この一の小束収納庫１２（ｂ）において、金種別の数量実取引データと金種別の数量入力データとに差異が存在すると、制御部２５は、表示部１７に、この一の小束収納庫１２（ｂ）の識別表示と、金種別の数量実取引データと金種別の数量入力データとが一致しない旨の差異の種類と、金種別の数量実取引データと金種別の数量入力データとから割り出される、取り出す小束紙幣Ｔの金種別の数量と装填する小束紙幣Ｔの金種別の数量とを含む差異の解消方法とを、関連付けて警報として表示させる。そして、制御部２５は、通常の開閉取引から、通常以外の開閉取引に移行し、再びこの一の小束収納庫１２（ｂ）に対する開庫を許可して、そのロックを対応するロック機構２２により解除することにより、この一の小束収納庫１２（ｂ）を開作動可能とするとともに、その表示灯２３を点灯させる。
【００８８】
ロック解除後、制御部２５は、上記と同様にして、全閉検知センサ９６、ロータリエンコーダ８８および全開検知センサ９７の開閉位相データからこの一の小束収納庫１２（ｂ）の正常開動作を検出すると、その後、閉方向の移動開始を検出すると同時に、この一の小束収納庫１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組により閉庫時の貨幣検出反射データの取り込みを行わせる。この閉庫時の貨幣検出反射データから、この一の小束収納庫１２（ｂ）の各束収納凹部４９に収納された小束紙幣Ｔの金種別の数量検出データを取得する。
【００８９】
すると、制御部２５は、この通常以外の開閉取引の開庫の直前の、今回の一の入出庫取引の通常の開閉取引にて入力された、この一の小束収納庫１２（ｂ）の各束収納凹部４９の小束紙幣Ｔの金種別の数量入力データと、前回の入出庫取引時に記憶部２６に記憶されたこの一の小束収納庫１２（ｂ）の小束紙幣Ｔの金種別の数量検出データとから割り出される、この通常以外の開閉取引の開庫の直前の上記した通常の開閉取引後に本来あるべき数量である数量割出データおよび金種である金種割出データを総合した金種別の数量割出データを割り出す。
【００９０】
そして、この金種別の数量割出データと、今回の通常以外の開閉取引の閉庫時の貨幣検出反射データに基づくこの一の小束収納庫１２（ｂ）の小束紙幣Ｔの金種別の数量検出データとを照合する。その結果、差異が存在しなければ、制御部２５は、異金種小束紙幣Ｔが存在するか否かの判定を含む上記と同様の処理を行い、異金種小束紙幣Ｔが存在しない、あるいは異金種小束紙幣Ｔが存在しなくなると、直前の上記した通常の開閉取引にて入力された金種別の数量入力データと、今回の通常以外の開閉取引で取得した金種別の数量検出データとを、この一の入出庫取引の取引識別データと関連付けて記憶部２６に記憶し、この一の小束収納庫１２（ｂ）に対する開閉取引が終了したと判断する。他方、差異が存在した場合、制御部２５は、表示部１７に、この一の小束収納庫１２（ｂ）の識別表示と、差異の情報とを関連付けて表示させるとともに、上記と同様に、差異に応じた処理を行う。
【００９１】
ここで、制御部２５は、全開検知センサ９７が検知片９５を検知する状態から、ロータリエンコーダ８８が検知ディスク８７の回転の検知を開始し且つ全開検知センサ９７が検知片９５を検知しない状態となった後、全閉検知センサ９６が検知片９５を検知する状態とならずに、所定の閉時許容時間が経過すると、異常閉動作を検出することになる。なお、全開状態から全閉状態までの途中で一旦閉庫が止まっても、所定の閉時許容時間内に、全閉状態になれば、正常閉動作と判断する。
【００９２】
異常閉動作を検出すると、制御部２５は、表示部１７に、この一の小束収納庫１２（ｂ）の識別表示と、この一の小束収納庫１２（ｂ）を後端位置に閉庫させるように促す警告表示とを表示させるとともに、音声発生部２０にアラーム音を発生させて、この一の小束収納庫１２（ｂ）が後端位置まで閉庫された正常閉動作を検出するまで待機する。正常閉動作を検出するまで、貨幣検出反射データの取り込みを行う。なお、この異常閉動作の検出時には、制御部２５は、この一の小束収納庫１２（ｂ）が後端位置に閉庫されなければ、上記した表示部１７の警告表示および音声発生部２０のアラーム音を解除せず、この一の小束収納庫１２（ｂ）が後端位置に閉庫されると上記した警告表示およびアラーム音を解除する。
【００９３】
そして、本実施形態において、制御部２５は、上記した一の小束収納庫１２（ｂ）に対して設けられた全閉検知センサ９６および全開検知センサ９７がいずれも検知片９５を検知しない状態においては、この一の小束収納庫１２（ｂ）に対して設けられたロータリエンコーダ８８が検知ディスク８７の回転を検知しない状態にあるか否かを常に監視しており、このロータリエンコーダ８８が検知ディスク８７の回転を検知しない状態にあるとき、つまりこの一の小束収納庫１２（ｂ）が停止していると判定した状態にあるとき、この一の小束収納庫１２（ｂ）に対して設けられたすべての、小束セット検知センサ６６、左端検出ラインセンサ６７、左側帯検出ラインセンサ６８、右側帯検出ラインセンサ６９および右端検出ラインセンサ７０のいずれかの貨幣検出データに上記した所定の変化が生じると、不正処理が生じたと判定して、その旨のアラーム表示を表示部１７に表示させるとともに、アラーム音を音声発生部２０に発生させる。具体的に、制御部２５は、上述したように、この一の小束収納庫１２（ｂ）に対して設けられたロータリエンコーダ８８で検知ディスク８７のスリットを検知する毎に、この一の小束収納庫１２（ｂ）に対して設けられたすべての、小束セット検知センサ６６、左端検出ラインセンサ６７、左側帯検出ラインセンサ６８、右側帯検出ラインセンサ６９および右端検出ラインセンサ７０のそれぞれの貨幣検出反射データを取り込むことになるが、この一の小束収納庫１２（ｂ）に対して設けられたロータリエンコーダ８８で検知ディスク８７のスリットを検知せず、この一の小束収納庫１２（ｂ）が停止していると判定した状態にあるときには、自動割り込み処理により、この一の小束収納庫１２（ｂ）に対して設けられたすべての、小束セット検知センサ６６、左端検出ラインセンサ６７、左側帯検出ラインセンサ６８、右側帯検出ラインセンサ６９および右端検出ラインセンサ７０のそれぞれの貨幣検出反射データを所定の時間間隔で取り込むことになり、この自動割り込み処理による、この一の小束収納庫１２（ｂ）に対して設けられたすべての、小束セット検知センサ６６、左端検出ラインセンサ６７、左側帯検出ラインセンサ６８、右側帯検出ラインセンサ６９および右端検出ラインセンサ７０のいずれかの貨幣検出データに上記した所定の変化が生じると、不正処理が生じたと判定する。
【００９４】
他方、この一の小束収納庫１２（ｂ）が停止していると判定した状態にあるとき、この一の小束収納庫１２（ｂ）に対して設けられたすべての、小束セット検知センサ６６、左端検出ラインセンサ６７、左側帯検出ラインセンサ６８、右側帯検出ラインセンサ６９および右端検出ラインセンサ７０のいずれの貨幣検出データにも上記した所定の変化が生じなければ、不正処理が生じていないと判定して、アラームを発生させることはない。なお、制御部２５は、アラーム発生後、管理者のＩＤカードがカードリーダ１８で読み取られ、管理者の担当者識別データが操作キーボード１９に入力されると、アラーム表示およびアラーム音を停止させる。
【００９５】
なお、この一の入出庫取引にて入力された金種入力データに他の小束収納庫１２（ｂ）に収納されている小束紙幣Ｔの金種が含まれている場合、制御部２５は、上記した一の小束収納庫１２（ｂ）と同様の処理を他の小束収納庫１２（ｂ）に対して行うことになる。
【００９６】
また、制御部２５は、この一の入出庫取引にて入力された金種入力データに、一の棒金収納庫１２（ｃ）に収納されている棒金Ｂが含まれる場合、この一の棒金収納庫１２（ｃ）のロックを解除するとともにその表示灯２３を点灯させることになり、その後、この一の棒金収納庫１２（ｃ）の現金管理装置本体１１からの引き出しが開始されると、この一の棒金収納庫１２（ｃ）用の全閉検知センサ９６、ロータリエンコーダ８８および全開検知センサ９７の開閉位相データからこの一の棒金収納庫１２（ｃ）の開閉位置を検出することになり、これらの開閉位相データからこの一の棒金収納庫１２（ｃ）が後端位置から前端位置（所定位置）まで移動したか否かを判断する。
【００９７】
つまり、制御部２５は、全閉検知センサ９６、ロータリエンコーダ８８および全開検知センサ９７の開閉位相データに基づき、ロータリエンコーダ８８が検知ディスク８７の回転の検知を開始し且つ全閉検知センサ９６が検知片９５を検知しない状態となった後、ロータリエンコーダ８８が検知ディスク８７の回転の検知を停止し且つ全開検知センサ９７が検知片９５を検知する状態となると、この一の棒金収納庫１２（ｃ）が後端位置から前端位置まで開庫された正常開動作を検出する。なお、全閉状態から全開状態までの途中で一旦開庫が止まっても、所定の開時許容時間内に、全開状態になれば、正常開動作と判断する。
【００９８】
その後、制御部２５は、ロータリエンコーダ８８が検知ディスク８７の回転の検知を開始し且つ全開検知センサ９７が検知片９５を検知しない状態となることで、この一の棒金収納庫１２（ｃ）の閉方向の移動開始を検出すると、この一の棒金収納庫１２（ｃ）に対して設けられたすべての棒金セット検知センサ７６およびすべての棒金検出ラインセンサ７７を駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の棒金収納庫１２（ｃ）が後端位置に閉庫されたことが検出されると、貨幣検出反射データの取り込みを終了させる。
【００９９】
他方、ロータリエンコーダ８８が検知ディスク８７の回転の検知を開始し且つ全閉検知センサ９６が検知片９５を検知しない状態となった後、全開検知センサ９７が検知片９５を検知する状態とならずに、ロータリエンコーダ８８が検知ディスク８７の回転の検知を停止し且つ全閉検知センサ９６が検知片９５を検知する状態となると、この一の棒金収納庫１２（ｃ）が前端位置まで開庫されずに後端位置に閉庫された異常開閉動作を検出することになる。
【０１００】
この異常開閉動作を検出すると、制御部２５は、表示部１７に、この一の棒金収納庫１２（ｃ）の識別表示と、この一の棒金収納庫１２（ｃ）を前端位置まで開庫してから後端位置に閉庫させるように促す警告表示とを表示させるとともに、音声発生部２０にアラーム音を発生させて、この一の棒金収納庫１２（ｃ）のロックを再び解除して、この一の棒金収納庫１２（ｃ）が後端位置から前端位置まで開庫された正常開動作を検出するまで待機する。正常開動作を検出すると、上記と同様に、この一の棒金収納庫１２（ｃ）が後端位置に閉庫されたことが検出されるまで、貨幣検出反射データの取り込みを行う。なお、この異常開閉動作の検出時には、制御部２５は、この一の棒金収納庫１２（ｃ）が前端位置まで再開庫された後に後端位置に再閉庫されなければ、上記した表示部１７の警告表示および音声発生部２０のアラーム音を解除せず、この一の棒金収納庫１２（ｃ）が前端位置まで再開庫された後に後端位置に再閉庫されると上記した警告表示およびアラーム音を解除する。
【０１０１】
また、制御部２５は、ロータリエンコーダ８８が検知ディスク８７の回転の検知を開始し且つ全閉検知センサ９６が検知片９５を検知しない状態となった後、全開検知センサ９７が検知片９５を検知する状態とならずに、所定の開時許容時間が経過すると、この一の棒金収納庫１２（ｃ）の異常開動作を検出することになる。
【０１０２】
この異常開動作を検出すると、制御部２５は、表示部１７に、この一の棒金収納庫１２（ｃ）の識別表示と、この一の棒金収納庫１２（ｃ）を前端位置まで開庫してから後端位置に閉庫させるように促す警告表示とを表示させるとともに、音声発生部２０にアラーム音を発生させて、この一の棒金収納庫１２（ｃ）のが前端位置まで開庫された正常開動作を検出するまで待機する。正常開動作を検出すると、上記と同様に、この一の棒金収納庫１２（ｃ）が後端位置に閉庫されたことが検出されるまで、貨幣検出反射データの取り込みを行う。なお、この異常開動作の検出時には、制御部２５は、この一の棒金収納庫１２（ｃ）が前端位置まで開庫された後に後端位置に閉庫されなければ、上記した表示部１７の警告表示および音声発生部２０のアラーム音を解除せず、この一の棒金収納庫１２（ｃ）が前端位置まで開庫された後に後端位置に閉庫されると上記した警告表示およびアラーム音を解除する。
【０１０３】
そして、一回目の開閉庫の場合および再度の開閉庫の場合のいずれにおいても、この一の棒金収納庫１２（ｃ）の前端位置から後端位置に閉庫された正常開閉動作が検出されると、制御部２５は、この一の棒金収納庫１２（ｃ）の表示灯２３を消灯し、この一の棒金収納庫１２（ｃ）に対して設けられたすべての棒金セット検知センサ７６およびすべての棒金検出ラインセンサ７７についての閉庫時の貨幣検出反射データから、上記のようにして、この一の棒金収納庫１２（ｃ）の各棒金収納凹部５９に収納された棒金Ｂの数量検出データおよび個々の棒金Ｂの金種検出データを取得する。取得後、制御部２５は、表示部１７に、上記した金種入力データ、区別データおよび数量入力データを表示させるとともに、合わせて、この一の棒金収納庫１２（ｃ）の識別表示と、この一の棒金収納庫１２（ｃ）について取得した、数量検出データおよび金種検出データを総合した金種別の数量検出データとを関連付けて表示させる。
【０１０４】
加えて、制御部２５は、今回取得した金種別の数量検出データと、前回の入出庫取引時に記憶部２６に記憶されたこの一の棒金収納庫１２（ｃ）の金種別の数量検出データとから、この一の棒金収納庫１２（ｃ）における増減分となる、今回の一の入出庫取引での、実取引の数量である数量実取引データ（数量実取引情報）および実取引の金種である金種実取引データ（金種実取引情報）を総合した金種別の数量実取引データを割り出す。そして、制御部２５は、この金種別の数量実取引データを、今回の一の入出庫取引で入力された数量入力データと金種入力データとを総合した金種別の数量入力データと照合し、差異が存在したか否かを判定する。つまり、金種別の数量実取引データと、金種別の数量入力データとが一致すれば、差異は存在しないと判定し、それ以外は、差異が発生したと判定する。
【０１０５】
差異が存在しなければ、制御部２５は、各棒金収納凹部５９の棒金Ｂの金種検出データと各棒金収納凹部５９の規定の収納金種とから、対応金種の棒金収納凹部５９に収納されていない異金種棒金Ｂが存在するか否かを判定し、異金種棒金Ｂが存在しなければ、今回割り出した金種別の数量実取引データと、今回取得した金種別の数量検出データとを、この一の入出庫取引の取引識別データと関連付けて記憶部２６に記憶し、この一の棒金収納庫１２（ｃ）に対する開閉取引が終了したと判断する。
【０１０６】
差異が存在しないものの、異金種棒金Ｂが存在していると、制御部２５は、表示部１７に、異金種棒金Ｂが存在している旨と、この一の棒金収納庫１２（ｃ）の識別表示と、異金種棒金Ｂが存在している棒金収納凹部５９の識別表示とを関連付けて、警報として表示させるとともに、再びこの一の棒金収納庫１２（ｃ）に対する開庫を許可して、そのロックを対応するロック機構２２により解除することにより、この一の棒金収納庫１２（ｃ）を開作動可能とするとともに、その表示灯２３を点灯させる。
【０１０７】
このロック解除後、制御部２５は、上記と同様にして、全閉検知センサ９６、ロータリエンコーダ８８および全開検知センサ９７の開閉位相データからこの一の棒金収納庫１２（ｃ）の正常開動作を検出すると、その後、閉方向の移動開始を検出すると同時に、この一の棒金収納庫１２（ｃ）に対して設けられたすべての棒金セット検知センサ７６およびすべての棒金検出ラインセンサ７７により、閉庫時の貨幣検出反射データの取り込みを、この一の棒金収納庫１２（ｃ）が後端位置に閉庫されたことが検出されるまで、行わせる。この閉庫時の貨幣検出反射データから、この一の棒金収納庫１２（ｃ）の各棒金収納凹部５９の棒金Ｂの金種検出データを取得する。これを異金種棒金Ｂが存在しなくなるまで行う。
【０１０８】
他方、この一の棒金収納庫１２（ｃ）において、金種別の数量実取引データと金種別の数量入力データとに差異が存在すると、制御部２５は、表示部１７に、この一の棒金収納庫１２（ｃ）の識別表示と、金種別の数量実取引データと金種別の数量入力データとが一致しない旨の差異の種類と、金種別の数量実取引データと金種別の数量入力データとから割り出される、取り出す棒金Ｂの金種別の数量と装填する棒金Ｂの金種別の数量とを含む差異の解消方法とを、関連付けて警報として表示させる。そして、制御部２５は、通常の開閉取引から、通常以外の開閉取引に移行し、再びこの一の棒金収納庫１２（ｃ）に対する開庫を許可して、そのロックを対応するロック機構２２により解除することにより、この一の棒金収納庫１２（ｃ）を開作動可能とするとともに、その表示灯２３を点灯させる。
【０１０９】
ロック解除後、制御部２５は、上記と同様にして、全閉検知センサ９６、ロータリエンコーダ８８および全開検知センサ９７の開閉位相データからこの一の棒金収納庫１２（ｃ）の正常開動作を検出すると、その後、閉方向の移動開始を検出すると同時に、この一の棒金収納庫１２（ｃ）に対して設けられたすべての棒金セット検知センサ７６およびすべての棒金検出ラインセンサ７７により閉庫時の貨幣検出反射データの取り込みを行わせる。この閉庫時の貨幣検出反射データから、この一の棒金収納庫１２（ｃ）の各棒金収納凹部５９に収納された棒金Ｂの金種別の数量検出データを取得する。
【０１１０】
すると、制御部２５は、この通常以外の開閉取引の開庫の直前の、今回の一の入出庫取引の通常の開閉取引にて入力された、この一の棒金収納庫１２（ｃ）の各棒金収納凹部５９の棒金Ｂの金種別の数量入力データと、前回の入出庫取引時に記憶部２６に記憶されたこの一の棒金収納庫１２（ｃ）の棒金Ｂの金種別の数量検出データとから割り出される、この通常以外の開閉取引の開庫の直前の上記した通常の開閉取引後に本来あるべき数量である数量割出データおよび金種である金種割出データを総合した金種別の数量割出データを割り出す。
【０１１１】
そして、この金種別の数量割出データと、今回の通常以外の開閉取引の閉庫時の貨幣検出反射データに基づくこの一の棒金収納庫１２（ｃ）の棒金Ｂの金種別の数量検出データとを照合する。その結果、差異が存在しなければ、制御部２５は、異金種棒金Ｂが存在するか否かの判定を含む上記と同様の処理を行い、異金種棒金Ｂが存在しない、あるいは異金種棒金Ｂが存在しなくなると、直前の上記した通常の開閉取引にて入力された金種別の数量入力データと、今回の通常以外の開閉取引で取得した金種別の数量検出データとを、この一の入出庫取引の取引識別データと関連付けて記憶部２６に記憶し、この一の棒金収納庫１２（ｃ）に対する開閉取引が終了したと判断する。他方、差異が存在した場合、制御部２５は、表示部１７に、この一の棒金収納庫１２（ｃ）の識別表示と、差異の情報とを関連付けて表示させるとともに、上記と同様に、差異に応じた処理を行う。
【０１１２】
ここで、制御部２５は、全開検知センサ９７が検知片９５を検知する状態から、ロータリエンコーダ８８が検知ディスク８７の回転の検知を開始し且つ全開検知センサ９７が検知片９５を検知しない状態となった後、全閉検知センサ９６が検知片９５を検知する状態とならずに、所定の閉時許容時間が経過すると、この一の棒金収納庫１２（ｃ）の異常閉動作を検出することになる。なお、全開状態から全閉状態までの途中で一旦閉庫が止まっても、所定の閉時許容時間内に、全閉状態になれば、正常閉動作と判断する。
【０１１３】
この異常閉動作を検出すると、制御部２５は、表示部１７に、この一の棒金収納庫１２（ｃ）の識別表示と、この一の棒金収納庫１２（ｃ）を後端位置に閉庫させるように促す警告表示とを表示させるとともに、音声発生部２０にアラーム音を発生させて、この一の棒金収納庫１２（ｃ）が後端位置まで閉庫された正常閉動作を検出するまで待機する。正常閉動作を検出するまで、貨幣検出反射データの取り込みを行う。なお、この異常閉動作の検出時には、制御部２５は、この一の棒金収納庫１２（ｃ）が後端位置に閉庫されなければ、上記した表示部１７の警告表示および音声発生部２０のアラーム音を解除せず、この一の棒金収納庫１２（ｃ）が後端位置に閉庫されると上記した警告表示およびアラーム音を解除する。
【０１１４】
そして、本実施形態において、制御部２５は、上記した一の棒金収納庫１２（ｃ）に対して設けられた全閉検知センサ９６および全開検知センサ９７がいずれも検知片９５を検知しない状態においては、この一の棒金収納庫１２（ｃ）に対して設けられたロータリエンコーダ８８が検知ディスク８７の回転を検知しない状態にあるか否かを常に監視しており、このロータリエンコーダ８８が検知ディスク８７の回転を検知しない状態にあるとき、つまりこの一の棒金収納庫１２（ｃ）が停止していると判定した状態にあるとき、この一の棒金収納庫１２（ｃ）に対して設けられたすべての棒金セット検知センサ７６およびすべての棒金検出ラインセンサ７７のいずれかの貨幣検出データに上記した所定の変化が生じると、不正処理が生じたと判定して、その旨のアラーム表示を表示部１７に表示させるとともに、アラーム音を音声発生部２０に発生させる。具体的に、制御部２５は、上述したように、この一の棒金収納庫１２（ｃ）に対して設けられたロータリエンコーダ８８で検知ディスク８７のスリットを検知する毎に、この一の棒金収納庫１２（ｃ）に対して設けられたすべての棒金セット検知センサ７６およびすべての棒金検出ラインセンサ７７のそれぞれの貨幣検出反射データを取り込むことになるが、この一の棒金収納庫１２（ｃ）に対して設けられたロータリエンコーダ８８で検知ディスク８７のスリットを検知せず、この一の棒金収納庫１２（ｃ）が停止していると判定した状態にあるときには、自動割り込み処理により、この一の棒金収納庫１２（ｃ）に対して設けられたすべての棒金セット検知センサ７６およびすべての棒金検出ラインセンサ７７のそれぞれの貨幣検出反射データを所定の時間間隔で取り込むことになり、この自動割り込み処理による、この一の棒金収納庫１２（ｃ）に対して設けられたすべての棒金セット検知センサ７６およびすべての棒金検出ラインセンサ７７のいずれかの貨幣検出データに上記した所定の変化が生じると、不正処理が生じたと判定する。
【０１１５】
他方、この一の棒金収納庫１２（ｃ）が停止していると判定した状態にあるとき、この一の棒金収納庫１２（ｃ）に対して設けられたすべての棒金セット検知センサ７６およびすべての棒金検出ラインセンサ７７のいずれの貨幣検出データにも上記した所定の変化が生じなければ、不正処理が生じていないと判定して、アラームを発生させることはない。なお、制御部２５は、アラーム発生後、管理者のＩＤカードがカードリーダ１８で読み取られ、管理者の担当者識別データが操作キーボード１９に入力されると、アラーム表示およびアラーム音を停止させる。
【０１１６】
なお、この一の入出庫取引にて入力された金種入力データに他の棒金収納庫１２（ｃ）に収納されている棒金Ｂの金種が含まれている場合、制御部２５は、上記した一の棒金収納庫１２（ｃ）と同様の処理を他の棒金収納庫１２（ｃ）に対して行うことになる。
【０１１７】
最後に、制御部２５は、すべての小束収納庫１２（ｂ）およびすべての棒金収納庫１２（ｃ）のうち、この一の入出庫取引にて入力された金種入力データの金種を収納しているものすべてについて、開閉取引が終了したと判断すると、今回の一の入出庫取引が終了したと判断する。
【０１１８】
以上に述べた本実施形態に係る現金管理装置１０によれば、現金管理装置本体１１に対して小束収納庫１２（ｂ）をスライド開閉すると、現金管理装置本体１１に固定された、小束セット検知センサ６６、左端検出ラインセンサ６７、左側帯検出ラインセンサ６８、右側帯検出ラインセンサ６９および右端検出ラインセンサ７０が、小束収納庫１２（ｂ）の開閉に伴って通過する小束紙幣Ｔの上下方向の端部から貨幣検出反射データを取得することになり、制御部２５が、この貨幣検出反射データと、記憶部２６に記憶された数量マスタデータおよび金種マスタデータとを照合して小束収納庫１２（ｂ）における小束紙幣Ｔの数量検出データおよび金種検出データを取得することになる。同様に、現金管理装置本体１１に対して棒金収納庫１２（ｃ）をスライド開閉すると、現金管理装置本体１１に固定された棒金セット検知センサ７６および棒金検出ラインセンサ７７が、棒金収納庫１２（ｃ）の開閉に伴って通過する棒金Ｂの上下方向の端部から貨幣検出反射データを取得することになり、制御部２５が、この貨幣検出反射データと、記憶部２６に記憶された数量マスタデータおよび金種マスタデータとを照合して棒金収納庫１２（ｃ）における棒金Ｂの数量検出データおよび金種検出データを取得することになる。よって、他の装置を介在させることなく、任意の場所で、小束収納庫１２（ｂ）の小束紙幣Ｔの数量検出データおよび金種検出データと、棒金収納庫１２（ｃ）の棒金Ｂの数量検出データおよび金種検出データとを取得できるため、現金管理の厳正化および業務効率の向上を確実に図ることができる。
【０１１９】
また、小束収納庫１２（ｂ）には小束紙幣Ｔが、棒金収納庫１２（ｃ）には棒金Ｂが、いずれも立位状態で収納されるため、小束紙幣Ｔおよび棒金Ｂを効率良く収納することができることになり、加えて、小束紙幣Ｔの上下方向の端部から小束セット検知センサ６６、左端検出ラインセンサ６７、左側帯検出ラインセンサ６８、右側帯検出ラインセンサ６９および右端検出ラインセンサ７０が、貨幣検出反射データを取得するため、立位状態で収納された小束紙幣Ｔを効率良く検出することができ、棒金Ｂの上下方向の端部から棒金セット検知センサ７６および棒金検出ラインセンサ７７が貨幣検出反射データを取得するため、立位状態で収納された棒金Ｂを効率良く検出することができる。
【０１２０】
小束収納庫１２（ｂ）が開閉作動途中で停止状態となり、その時点では現金管理装置本体１１内にある部分に収納されている小束紙幣Ｔに対するアクセスが発生すると、アクセスがどの時点で発生したものであるのかが不明となってしまう。同様に、棒金収納庫１２（ｃ）が開閉作動途中で停止状態となり、その時点では現金管理装置本体１１内にある部分に収納されている棒金Ｂに対するアクセスが発生すると、アクセスがどの時点で発生したものであるのかが不明となってしまう。これに対して、このようなアクセスが生じると、小束セット検知センサ６６、左端検出ラインセンサ６７、左側帯検出ラインセンサ６８、右側帯検出ラインセンサ６９および右端検出ラインセンサ７０のいずれかで小束紙幣Ｔが検出状態から非検出状態となったり、棒金セット検知センサ７６および棒金検出ラインセンサ７７のいずれかで棒金Ｂが検出状態から非検出状態となったり、左端検出ラインセンサ６７、左側帯検出ラインセンサ６８、右側帯検出ラインセンサ６９および右端検出ラインセンサ７０のいずれかで指を検出したり、棒金検出ラインセンサ７７で指を検出したりと、貨幣検出反射データに本来生じない所定の変化が生じることになる。これに着目して、制御部２５が、開閉両端位置以外で収納庫１２が停止していると判定した状態にあるとき、貨幣検出反射データに所定の変化が生じると不正処理が生じたと判定するため、上記のような小束紙幣Ｔおよび棒金Ｂに対する不正アクセス等の不正処理を発生時点で検出することができる。
【０１２１】
また、小束紙幣Ｔについての貨幣検出反射データの所定の変化が、数量マスタデータに基づいて、小束紙幣Ｔを小束セット検知センサ６６、左端検出ラインセンサ６７、左側帯検出ラインセンサ６８、右側帯検出ラインセンサ６９および右端検出ラインセンサ７０のいずれかが、検出していると判定する状態から、検出していないと判定する状態への変化と、小束紙幣Ｔを小束セット検知センサ６６、左端検出ラインセンサ６７、左側帯検出ラインセンサ６８、右側帯検出ラインセンサ６９および右端検出ラインセンサ７０のいずれかが、検出していないと判定する状態から、検出していると判定する状態への変化とであるため、小束紙幣Ｔが不正に抜き取られたことおよび不正に装填されたことを検出できる。また、棒金Ｂについての貨幣検出反射データの所定の変化が、数量マスタデータに基づいて、棒金Ｂを棒金セット検知センサ７６および棒金検出ラインセンサ７７のいずれかが、検出していると判定する状態から、検出していないと判定する状態への変化と、棒金Ｂを棒金セット検知センサ７６および棒金検出ラインセンサ７７のいずれかが、検出していないと判定する状態から、検出していると判定する状態への変化とであるため、棒金Ｂが不正に抜き取られたことおよび不正に装填されたことを検出できる。なお、小束紙幣Ｔについての貨幣検出反射データの所定の変化は、小束紙幣Ｔを小束セット検知センサ６６、左端検出ラインセンサ６７、左側帯検出ラインセンサ６８、右側帯検出ラインセンサ６９および右端検出ラインセンサ７０のいずれかが、検出していると判定する状態から、検出していないと判定する状態への変化、および、小束紙幣Ｔを小束セット検知センサ６６、左端検出ラインセンサ６７、左側帯検出ラインセンサ６８、右側帯検出ラインセンサ６９および右端検出ラインセンサ７０のいずれかが、検出していないと判定する状態から、検出していると判定する状態への変化のうちの一方であっても良い。また、棒金Ｂについての貨幣検出反射データの所定の変化は、棒金Ｂを棒金セット検知センサ７６および棒金検出ラインセンサ７７のいずれかが、検出していると判定する状態から、検出していないと判定する状態への変化、および、棒金Ｂを棒金セット検知センサ７６および棒金検出ラインセンサ７７のいずれかが、検出していないと判定する状態から、検出していると判定する状態への変化のうちのいずれか一方であっても良い。
【０１２２】
また、上記のように不正処理が生じたと判定したとき、表示部１７および音声発生部２０により警告するため、不正処理の発生時点で警告することができ、不正処理を一層抑止できる。
【０１２３】
また、小束セット検知センサ６６、左端検出ラインセンサ６７、左側帯検出ラインセンサ６８、右側帯検出ラインセンサ６９および右端検出ラインセンサ７０が、小束収納庫１２（ｂ）の開閉に伴って通過する小束紙幣Ｔの上下方向の端部から貨幣検出反射データを取得すると、制御部２５が、この貨幣検出反射データと、記憶部２６に記憶された数量マスタデータおよび金種マスタデータとを照合して小束収納庫１２（ｂ）における小束紙幣Ｔの数量検出データおよび金種検出データを取得することになる。同様に、棒金セット検知センサ７６および棒金検出ラインセンサ７７が、棒金収納庫１２（ｃ）の開閉に伴って通過する棒金Ｂの上下方向の端部から貨幣検出反射データを取得すると、制御部２５が、この貨幣検出反射データと、記憶部２６に記憶された数量マスタデータおよび金種マスタデータとを照合して棒金収納庫１２（ｃ）における棒金Ｂの数量検出データおよび金種検出データを取得することになる。よって、小束紙幣Ｔおよび棒金Ｂの金種情報も取得できるため、さらなる現金管理の厳正化および業務効率の向上を図ることができる。
【０１２４】
また、制御部２５が、対応金種の収納位置に収納されていない異金種小束紙幣Ｔを検出したとき、および対応金種の収納位置に収納されていない異金種棒金Ｂを検出したときに、表示部１７および音声発生部２０により警告するため、異金種小束紙幣Ｔおよび異金種棒金Ｂの存在を締上げ処理前に発見でき、操作ミスを未然に防止できる。
【０１２５】
また、制御部２５は、小束収納庫１２（ｂ）および棒金収納庫１２（ｃ）の少なくともいずれか一方に対し、入庫および出庫の少なくとも一方を含む一の通常の開閉取引が行われると、数量検出データおよび金種検出データを取得し、これらの数量検出データおよび金種検出データから割り出される、この一の通常の開閉取引の数量実取引データおよび金種実取引データと、この一の通常の開閉取引時に入力された数量入力データおよび金種入力データとを照合し、差異が存在したときに表示部１７および音声発生部２０により警報するため、操作ミスを速やかに発見し報知することができる。
【０１２６】
また、制御部２５は、通常以外の開閉取引で、小束収納庫１２（ｂ）および棒金収納庫１２（ｃ）の少なくともいずれか一方の開庫が許可された場合であって、この開庫が許可されたものが開庫されて閉庫された際に、数量検出データおよび金種検出データを取得し、これら数量検出データおよび金種検出データと、開庫の直前の通常の開閉取引時に入力された数量入力データおよび金種入力データから割り出される直前の通常の開閉取引後にあるべき小束紙幣Ｔあるいは棒金Ｂの数量割出データおよび金種割出データとを照合し、差異が存在したときに表示部１７および音声発生部２０により警報するため、復旧操作ミスを速やかに発見し報知することができる。
【０１２７】
また、操作キーボード１９に数量入力データおよび金種入力データが入力されることで、複数の小束収納庫１２（ｂ）および複数の棒金収納庫１２（ｃ）のうち、これらに対応するものの開庫を許可するため、数量入力データおよび金種入力データに対応しないものが開庫されてしまうこと等の操作ミスを未然に防止できる。
【０１２８】
なお、上記実施形態においては、小束紙幣Ｔを入出庫可能に収納する小束収納庫１２（ｂ）および棒金Ｂを入出庫可能に収納する棒金収納庫１２（ｃ）の両方を設ける場合を例にとり説明したが、小束収納庫１２（ｂ）および棒金収納庫１２（ｃ）のいずれか一方のみを有する現金管理装置としても良い。
【０１２９】
また、上記実施形態においては、小束収納庫１２（ｂ）および棒金収納庫１２（ｃ）を手動で開閉する場合を例にとり説明したが、小束収納庫１２（ｂ）および棒金収納庫１２（ｃ）をそれぞれスライド開閉させるモータ（駆動手段）を設け、制御部２５がこのモータの駆動を制御して小束収納庫１２（ｂ）および棒金収納庫１２（ｃ）を一定の基準速度でスライド開閉させるようにしても良い。このように構成すれば、不完全開庫等による情報検出漏れを未然に防止でき、また、貨幣検出反射データを補正せずに済む。
【符号の説明】
【０１３０】
１０  現金管理装置
１１  現金管理装置本体
１２  収納庫
１２（ｂ）  小束収納庫
１２（ｃ）  棒金収納庫
１７  表示部（警告手段，警報手段）
１９  操作キーボード（入力手段）
２０  音声発生部（警告手段，警報手段）
２５  制御部
２６  記憶部
６６  小束セット検知センサ（貨幣検出部）
６７  左端検出ラインセンサ（貨幣検出部）
６８  左側帯検出ラインセンサ（貨幣検出部）
６９  右側帯検出ラインセンサ（貨幣検出部）
７０  右端検出ラインセンサ（貨幣検出部）
７６  棒金セット検知センサ（貨幣検出部）
７７  棒金検出ラインセンサ（貨幣検出部）
８８  ロータリエンコーダ（位相検出部）
９６  全閉検知センサ（位相検出部）
９７  全開検知センサ（位相検出部）
Ｂ  棒金（収納物）
Ｔ  小束紙幣（収納物）
【図１】
0005564590.tif 000002
【図２】
0005564590.tif 000003
【図３】
0005564590.tif 000004
【図４】
0005564590.tif 000005
【図５】
0005564590.tif 000006
【図６】
0005564590.tif 000007
【図７】
0005564590.tif 000008
【図８】
0005564590.tif 000009
【図９】
0005564590.tif 000010
【図１０】
0005564590.tif 000011
【図１１】
0005564590.tif 000012
【図１２】
0005564590.tif 000013